(57)【要約】【課題】  この考案は寸切りボルトのワンタッチ挿着が誰でも簡単、且つ、確実に出来、又、挿着角度に柔軟性を持たせる事で作業性、安全性、経済性の優れた天井吊り下げボルト用インサートを開発・提供する事にある。  【解決手段】  先端部に、複数の固定針を有するインナースリーブ本体と、該インナースリーブ本体と摺動可能にしたガイドスリーブと、前記インナースリーブ本体に被冠するキャップと、該インナースリーブ本体の中途内壁に装着した固定用スプリングロックとから成り、又、インサート打設時以外は、ガイドスリーブをインナースリーブ本体先端部の固定針側に移動させて、固定針を包囲する事で、安全性確保を可能にし、又、インサートを固着後、寸切りボルトをスプリングロックの穴部に挿着時は、突き上げ挿入のみで挿着可能にし、且つ、取り外し時は、左回転させながら外すものである。【選択図】  図５
0003115886.tif 000002
【実用新案登録請求の範囲】
【請求項１】
コンクリート建築に於ける天井吊り下げボルト用インサートにおいて、先端部に、複数の固定針（１２ｅ）を有するインナースリーブ本体（１２）と、該インナースリーブ本体（１２）と摺動可能にしたガイドスリーブ（２）と、前記インナースリーブ本体（１２）に被冠するキャップ（１１）と、該インナースリーブ本体（１２）の中途内壁に装着した固定用スプリングロック（３）とから成る事を特徴とする吊り下げボルト係止用インサート。
【請求項２】
インサート（Ｉ）打設時以外は、ガイドスリーブ（２）を、インナースリーブ本体（１２）先端部の固定針（１２ｅ）側に移動させて、固定針（１２ｅ）を包囲する事で、安全性確保を可能にした事を特徴とする請求項１記載の吊り下げボルト係止用インサート。
【請求項３】
インサート（Ｉ）を固着後、寸切りボルト（ＢＯ）をスプリングロック（３）の穴部（３ｂ）に挿着時は、突き上げ挿入のみで挿着可能にし、且つ、取り外し時は、左回転させながら外す事を特徴とする請求項１記載の吊り下げボルト係止用インサート。
【考案の詳細な説明】
【技術分野】
【０００１】
この考案は、コンクリート建築等に使用する天井吊り下げボルト用インサートに関するものである。
【背景技術】
【０００２】
従来、コンクリート建築に於ける天井吊り下げボルト用インサートは、予め型枠として使用するコンクリートパネル上の所定の位置に打ち込まれ、その上にコンクリートを流し込んで固められ、完全にコンクリートが乾燥し、固まった時点で、コンクリートパネルを取り除き、インサートのネジ部に寸切りボルトをねじ込んで様々な電気機器や装置等が取り付けられる。
【０００３】
しかし、これまでの工法では、インサートを天井面に対して、垂直に設置する事は至難の技で、現実問題は大半が若干の傾きを生じている為、寸切りボルトを取り付ける際に、ネジの傾き具合を見ながら、それに合わせて調整しながら取り付けており、ボルト取付作業に多大な時間を要しており、作業性、安全性、経済性面からみて問題があった。
【０００４】
そこで、この考案に関する特許文献を検索したが、見当たらなかったので参考文献を紹介する。（特許文献１参照。）
【特許文献１】実開平５−００７４１２
【考案の開示】
【考案が解決しようとする課題】
【０００５】
そこで、上記課題を解決する為に、この考案は寸切りボルトのワンタッチ挿着が誰でも簡単、且つ、確実に出来、又、挿着角度に柔軟性を持たせる事で作業性、安全性、経済性の優れた天井吊り下げボルト用インサートを開発・提供する事にある。
【課題を解決するための手段】
【０００６】
この課題を解決する為の手段として、先端部に、複数の固定針を有するインナースリーブ本体と、該インナースリーブ本体と摺動可能にしたガイドスリーブと、前記インナースリーブ本体に被冠するキャップと、該インナースリーブ本体の中途内壁に装着した固定用スプリングロックとから成るものである。
【０００７】
又、インサート打設時以外は、ガイドスリーブを、インナースリーブ本体先端部の固定針側に移動させて、固定針を包囲する事で、安全性確保を可能にしたものである。
【０００８】
又、インサートを固着後、寸切りボルトをスプリングロックの穴部に挿着時は、突き上げ挿入のみで挿着可能にし、且つ、取り外し時は、左回転させながら外すものである。
【考案の効果】
【０００９】
この考案の効果として、先端部に、複数の固定針を有するインナースリーブ本体と、該インナースリーブ本体と摺動可能にしたガイドスリーブと、前記インナースリーブ本体に被冠するキャップと、該インナースリーブ本体の中途内壁に装着した固定用スプリングロックとから成り、又、インサート打設時以外は、ガイドスリーブを、インナースリーブ本体先端部の固定針側に移動させて、固定針を包囲する事で、安全性確保を可能にし、又、インサートを固着後、寸切りボルトをスプリングロック部に挿着時は、突き上げ挿入のみで挿着可能にし、且つ、取り外し時は、左回転させながら外す事で、寸切りボルトのワンタッチ挿着が誰でも簡単、且つ、確実に出来、又、挿着角度に柔軟性を持たせる事で作業性、安全性、経済性に優れる等、極めて有益なる効果を奏するものである。
【考案を実施するための最良の形態】
【００１０】
この考案の最良の形態として、天井に吊り下げる電気機器や装置等の負荷荷重に適応した寸切りボルトの大きさとインサートの取り付け数を設定し、強度バランスのとれた最適なインサートを形成する事が重要となる。
【実施例１】
【００１１】
そこで、この考案の一実施例を図１〜図５に基づいて詳述すると、コンクリート建築に於ける天井吊り下げボルト用インサートにおいて、先端部に、複数の固定針（１２ｅ）を有するインナースリーブ本体（１２）と、該インナースリーブ本体（１２）と摺動可能にしたガイドスリーブ（２）と、前記インナースリーブ本体（１２）に被冠するキャップ（１１）と、該インナースリーブ本体（１２）の中途内壁に装着した固定用スプリングロック（３）とから成る事を特徴とする吊り下げボルト係止用インサートから構成される。
【００１２】
又、インサート（Ｉ）打設時以外は、ガイドスリーブ（２）を、インナースリーブ本体（１２）先端部の固定針（１２ｅ）側に移動させて、固定針（１２ｅ）を包囲する事で、安全性確保を可能にした事を特徴とする吊り下げボルト係止用インサートから構成される。
【００１３】
又、インサート（Ｉ）を固着後、寸切りボルト（ＢＯ）を、スプリングロック（３）の穴部（３ｂ）に挿着時は、突き上げ挿入のみで挿着可能にし、且つ、取り外し時は、左回転させながら外す事を特徴とする吊り下げボルト係止用インサート（Ｉ）から構成される。
【００１４】
次に、この考案の詳細について説明すると、まず、図５に示す様にインナースリーブ本体ＡＳＳ（１）は、フランジ付円筒型キャップ（１１）の外周部（１１ａ）をインナースリーブ本体（１２）の内周部（１２ｆ）に嵌挿し、且つ、インナースリーブ本体のフランジ部（１２ａ）をフランジ付円筒型キャップのフランジ溝部（１１ｂ）に嵌着して設けられている。又、インナースリーブ本体ＡＳＳ（１）の上端部に設けたフランジ付円筒型キャップ（１１）は、硬質プラスチック等の樹脂製で形成され、又、インナースリーブ本体（１２）は鉄鋼製で形成され、且つ、下端部周囲４箇所には固定針（１２ｅ）部を設け、且つ、上下方向所定位置（Ｌ）には寸切りボルト固着用の上突起部（１２ｃ）と下突起部（１２ｄ）を周囲４箇所にそれぞれ設け、且つ、該上突起部（１２ｃ）と下突起部（１２ｄ）間にステンレス製の富士山形状をしたスプリングロック（３）を固着して設けたものである。
【００１５】
又、フランジ付円筒型ガイドスリーブ（２）は硬質プラスチック等の樹脂製で形成され、且つ、インナースリーブ本体（１２）の外周部（１２ｂ）に、フランジ付円筒型ガイドスリーブ（２）の内周部（２ｂ）を嵌挿して設け、且つ、フランジ（２ａ）付円筒型ガイドスリーブ（２）の下端外周部には、位置合せ用の十字マーク（２ｃ）を設けている。
【００１６】
又、図４に示す様にスプリングロック（３）は、ステンレス製の富士山形状に形成され、且つ、富士山形状部全周には複数のスリット溝部（３ｃ）を設け、且つ、全周下端部に設けた平面部（３ａ）に複数の切り欠き部（３ｄ）を設け、スプリングロック組み込み時は、該切り欠き部（３ｄ）と上突起部（１２ｃ）の位置合せをしながら挿入し、平面部（３ａ）下面が下突起部（１２ｄ）に当った時点で右又は左方向に所定角度程回動させて固定する。
【００１７】
次に、この考案の作業手順について概要を説明すると、図６に示す様に、予め設置されたコンクリートパネル（Ｐ）上面の十字マーキング部にインサート（Ｉ）を置き、ガイドスリーブ下端外周部の位置合せ用の十字マーク（２ｃ）を合わせる。そして、インナースリーブ本体ＡＳＳ（１）のフランジ付円筒型キャップ（１１）の頭部をハンマーで叩いて固定させる。
【００１８】
そして、固定させたインサート（Ｉ）が垂直に固定出来た事を確認後、コンクリートパネル（Ｐ）上面にコンクリート（Ｍ）を敷設し、完全に固まるまで乾燥させて、固まったらコンクリートパネル（Ｐ）を除去する。
【００１９】
次に、コンクリート（Ｍ）下面に突出したインナースリーブ本体（１２）の固定針（１２ｅ）４本を、ハンマーで叩いて外方向に折り曲げるか、又は、破断させて取り除き、最後に寸切りボルト（ＢＯ）をインサート（Ｉ）のスプリングロック（３）の穴部（３ｂ）に突き上げ挿入して固着する。
【００２０】
図７は従来例を示し、（Ａ）は平面図で、（Ｂ）は正面図で、（Ｃ）は底面図である。
【００２１】
図８は従来例を示し、作業手順を示す断面図である。
【産業上の利用可能性】
【００２２】
この考案の吊り下げボルト係止用インサートは、寸切りボルトのワンタッチ挿着が誰でも簡単、且つ、確実に出来、又、挿着角度に柔軟性を持たせる事で作業性、安全性、経済性面で優れる為、コンクリート建築市場に寄与する点で産業上の利用可能性を有する。
【図面の簡単な説明】
【００２３】
【図１】この考案の一実施例を示し、インナースリーブ本体ＡＳＳの正面視断面図                      である。
【図２】この考案の一実施例を示し、（Ａ）はインナースリーブ本体の正面視断面図で、（Ｂ）は底面図である。
【図３】この考案の一実施例を示し、（Ａ）はスプリングロックの平面図で、（Ｂ）は図４（Ａ）のａ−ａ矢視断面図である。
【図４】この考案の一実施例を示し、（Ａ）はフランジ付円筒型キャップの正面視断面図で、（Ｂ）は底面図である。
【図５】この考案の一実施例を示し、（Ａ）はフランジ付円筒型ガイドスリーブの正面視断面図で、（Ｂ）は底面図である。
【図６】この考案の使用例を示し、作業手順を示す断面図である。
【図７】この考案の従来例を示し、（Ａ）はスリーブの平面図で、（Ｂ）は正面図で、（Ｃ）は底面図である。
【図８】この考案の従来例を示し、作業手順を示す断面図である。
【符号の説明】
【００２４】
１  インナースリーブ本体ＡＳＳ
２  フランジ付円筒型ガイドスリーブ
２ａ  フランジ
２ｂ  内周部
２ｃ  十字マーク
３  スプリングロック
３ａ  平面部
３ｂ  穴部
３ｃ  スリット溝部
３ｄ  切り欠き部
１１  フランジ付円筒型キャップ
１１ａ  外周部
１１ｂ  フランジ溝部
１２  インナースリーブ本体
１２ａ  フランジ部
１２ｂ  外周部
１２ｃ  上突起部
１２ｄ  下突起部
１２ｅ  固定針
１２ｆ  内周部
ＢＯ  寸切りボルト
Ｉ  天井吊り下げボルト用インサート
Ｌ  所定位置
Ｍ  コンクリート
Ｐ  コンクリートパネル
【図１】
0003115886.tif 000003
【図２】
0003115886.tif 000004
【図３】
0003115886.tif 000005
【図４】
0003115886.tif 000006
【図５】
0003115886.tif 000007
【図６】
0003115886.tif 000008
【図７】
0003115886.tif 000009
【図８】
0003115886.tif 000010